(57)【要約】丸編み機が開示されている。ニードルシリンダの円周上に配置された複数の編成システムと、それぞれが１つの繊維受け入れ位置で編成システム上に配備可能である編みツールに対しほぼ解撚された繊維質材料を供給するために編成システムに個々に割り当てられた対応する複数のドローイングフレームとを備えている。本発明によれば、ドローイングフレームは小型バーの形態をしていて、少なくとも４つ、最大でも８つの隣接ドローイングフレームおよびドライブを受け入れることを目的とした中央ハウジング（２５）を有し、その中央ハウジングからドローイングフレームアセンブリの上部ロールと下部ロール（２６ｂ、２７ｂ、２８ｂ）がその両側に突出している。
2010511803.tif 000002
【特許請求の範囲】
【請求項１】
回転可能に装着されたニードルシリンダ（２）と、ニードルシリンダ（２）内に配置された編みツール（３）と、ニードルシリンダ（２）の円周上に配置された複数の編成システム（６）と、編成システム（６）と同数であって、それぞれが１つの繊維受け入れ位置で編成システム（６）上に配備可能である編みツールに対しほぼ解撚された繊維質材料を供給するために編成システム（６）に個々に割り当てられた複数のドローイングフレーム（８）とを装備し、ドローイングフレーム（８）は上部ロールと下部ロールを有すると共に、バー形状に結合されてドローイングフレームアセンブリを形成し、ドローイングフレームアセンブリは、共通ドライブを備えると共に、ニードルシリンダ（２）の円周上に分散配置されている丸編み機において、各ドローイングフレームアセンブリは少なくとも４つ、最大でも８つの隣接ドローイングフレームおよびドライブ（３０、３１）を受け入れることを目的とした中央ハウジング（２５）を有し、その中央ハウジング（２５）からドローイングフレームアセンブリの上部ロール（２６ａ、２７ａ、２８ａ）と下部ロール（２６ｂ、２７ｂ、２８ｂ）がその両側に突出していることを特徴とする丸編み機。
【請求項２】
ドローイングフレーム（８）は、それぞれ１対の入力、中央および出力ロール（Ｉ、ＩＩ、ＩＩＩ）を有する３ロールドローイングフレームから構成され、前記入力、中央および出力ロール（Ｉ、ＩＩ、ＩＩＩ）はそれぞれハウジング（２５）上に相互に対して同軸に装着されていることを特徴とする請求項１に記載の丸編み機。
【請求項３】
入力、中央および出力ロール（Ｉ、ＩＩ、ＩＩＩ）は、ハウジング（２５）を通り抜けるそれぞれ１つの共通シャフト（３２）上に設けられていることを特徴とする請求項２に記載の丸編み機。
【請求項４】
ドライブ（３０、３１）に接続されたロール（２６ａ、２７ａ、２８ａ）は上部に位置し、下部に位置するロール（２６ｂ、２７ｂ、２８ｂ）は、下方にピボット回転可能にハウジング（２５）に接続された圧力アーム（２１、３３、３４、３９、４１、４３）上に装着されていることを特徴とする請求項１乃至３の１つに記載の丸編み機。
【請求項５】
それぞれ１つの圧力アーム（３３、３４、４３）はハウジング（２５）の両側に設けられていることを特徴とする請求項４に記載の丸編み機。
【請求項６】
２または４ドローイングフレーム用のロールは、それぞれハウジング（２５）の両側に設けられていることを特徴とする請求項１乃至５の１つに記載の丸編み機。
【請求項７】
３ドローイングフレーム用のロールは、それぞれハウジング（２５）の両側に設けられ、各々の側には、それぞれ２ドローイングフレーム用の第１の圧力アーム（３９）およびそれぞれ１ドローイングフレーム用の第２の圧力アーム（４１）がピボット回転可能に取り付けられていることを特徴とする請求項４に記載の丸編み機。
【請求項８】
編成システム（６）を非編成に切り替えるための手段を備えていることを特徴とする請求項１乃至７の１つに記載の丸編み機。
【発明の詳細な説明】
【技術分野】
【０００１】
本発明は、請求項１の前文に記載したタイプの丸編み機に関する。
【背景技術】
【０００２】
紡糸編み機(spinning-knitting machine)と呼ばれる前記タイプの公知丸編み機（例えば、特許文献１）の特徴は、編み地が通常の撚糸(twisted yarn)からではなく、ほぼ解撚(untwisted)され、パラレルに配置されたステープル繊維から形成される繊維バンド(fiber band)、フライヤスライバ(flyer sliver)など、として存在する繊維質材料から製造される点にある。この繊維質材料は、紡糸技術から公知であるドローイングフレーム(drawing frame)の助けを得て編成システム(knitting system)に供給されている。その結果、非常に柔軟性のある編み地が得られている。
【０００３】
それぞれが１つの編成システムに割り当てられている公知丸編み機のドローイングフレームは、バー形状に構成されると共に、ニードルシリンダの周りに配置された３つのドローイングフレームアセンブリを形成するように結合されており、各ドローイングフレームアセンブリまたはバーは多数のドローイングフレームおよびそのロール用のドライブを有している。その結果として、糸コースの方向が余りに大きく変化し、個々のドローイングフレームとその関連編成システム間の通路長さに余りに大きな差異が生じるのを防止するために、ドローイングアセンブリ間に比較的大きなデッドゾーン(dead zone)が存在している。その結果として、実際に使用できるのは、３０インチ径のニードルシリンダを装備した通常の丸編み機の編成システムのほぼ半分に限られている。その結果、多数のドローイングフレームを結合して１つのドローイングフレームアセンブリを形成すると、必要とするドライブの数、従って、投資量を低く保つことができるという利点の少なくとも一部が、この場合も生産性の低下に起因して打ち消されている。さらに、ドローイングフレーム部品、特にドローイングフレームに設けられたベルトの交換が困難であり、実際にはドローイングフレームバー全体を分解する必要があるという欠点が存在している。
【先行技術文献】
【特許文献】
【０００４】
【特許文献１】ＰＣＴ  ＷＯ２００４／０７９０６８Ａ２
【特許文献２】ＤＥ１０  ２００６  ００６  ５０２Ａ１
【発明の概要】
【発明が解決しようとする課題】
【０００５】
上記欠点を回避するために、丸編み機の周囲にドローイングフレームを個別的にかつセグメント形状に配置することがすでに提案されている（特許文献２）。その結果として、個々のドローイングフレームが各編成システムに割り当てられることを目的としているか、あるいは一方が他方の上に垂直に配置された２つのドローイングフレームがアセンブリを形成して、２つの隣接編成システムを動作することを目的としている。この方法の利点は、上部ロールに当接する圧力アームを下方側に離れるようにピボット回転できることである。しかし、個別的にドローイングフレームに割り当てられたドライブによってドローイングフレームを動作する必要があるために、４８、７２または９６個の編成システムを備えた丸編み機は、相当数のドライブを必要としている。
【課題を解決するための手段】
【０００６】
上記を出発思想として、本発明の基礎となる目的はバー構造とセグメント構造の間に妥協点を設けることにより、投資コストを削減し、その削減にもかかわらず、修理と保守作業の実施を大幅に容易化することを提案している。
【０００７】
上記目的は、請求項１に記載の特徴を備えた丸編み機によって解決している。
【発明の効果】
【０００８】
本発明によれば、丸編み機は、個別的に丸編み機に接続可能であり、かつ丸編み機から個別的に分解可能で、再度組み入れることが可能である自律的システムを表している比較的多数の小型バー(miniature bar)によって取り囲まれている。この種の作業期間中に連続的編成プロセスを妨げないようにするために、丸編み機は、割り当てたドローイングフレームでの作業中に編成システムを非編成に切り替えることを可能にするためにニードル選択を目的とした切り替え可能なカム部品、電磁石の形体をした手段を備えているので好都合である。
【０００９】
本発明のその他の利点のある特徴は従属請求項に記載されている。
【００１０】
以下では、添付図面を参照して本発明の実施形態について詳述する。
【図面の簡単な説明】
【００１１】
【図１】本発明による丸編み機を示す概略図である。
【図２】４個の編成システム用の小型バーの形体をした本発明によるドローイングフレームアセンブリを、側面から見たときの断面図である。
【図３】図２に示すドローイングフレームアセンブリを下から見た図である。
【図４】図３と同じで、６個および８個の編成システム用のドローイングフレームアセンブリを示す図である。
【図５】図３と同じで、６個および８個の編成システム用のドローイングフレームアセンブリを示す図である。
【発明を実施するための形態】
【００１２】
図１は、編みニードル３が移動可能に装着されている回転可能なニードルシリンダ２を装備した丸編み機を示す概略図である。丸編み機の前面または丸編み機を取り巻く領域には、作業スペース４が概略図で示されており、そこにはオペレータ５は通常の作業期間中丸編み機側にそのまま残っている。丸編み機の高さは、通常のように、カム部品（図示せず）から形成された多数の編み目形成または編成システム６が、オペレータ５の取り扱い領域に位置するような寸法になっている。なお、図１には編成システムは１つだけが示されている。ここで「取り扱い領域(handling region)」とは、好ましくは、丸編み機１が設置されると共にオペレータ５が立っているフロアなどの上方に間隔を置いて設けられている領域のことであり、その間隔は、人間工学的に特に都合良くなっており、および／または、例えば、操作手順書、標準規格またはその他の方法によって規定されている。
【００１３】
本発明の範囲において関心のある丸編み機は、紡糸編み機(spinning-knitting machine)と呼ばれるものの構成になっている。ドローイングフレーム８は各編み目形成または編成位置６に割り当てられており、繊維バンドの形体をしたケンス(can)から取り出された繊維質材料１０は前記ドローイングフレームに供給されている。別の方法として、繊維質材料１０は、蓄積スプール(storage spool)から引き出されるフライヤスライバで構成することができる。繊維質材料１０は、それ自体公知のようにドローイングフレーム８で細くされて糸を形成し、好ましくは糸ガイド１１によって編み目形成のために編みニードル３に送られる。参照符号１２は補助糸を示し、これも同じように糸ガイド１１に供給することができる。
【００１４】
さらに、ドローイングフレーム８と糸ガイド１１の間には、好ましくは、図１に概略図で示す紡糸デバイス(spinning device)１４が配置されており、この紡糸デバイスは撚糸部材(spinning member)１５および繊維質材料１０用の紡糸またはトランスポートチューブ１６（図２も参照）を備えている。
【００１５】
上述したタイプの丸編み機は、例えば、冒頭に引用した特許文献１からこの分野の精通者に公知であるので、ここでは重複説明を避けるために、上記特許文献を引用することだけに留める。
【００１６】
本発明の好適実施形態では、ドローイングフレーム８は、編成システム６と同じように、丸編み機１で作業するオペレータ５の取り扱い個所に置かれるように配置されている。その目的のために、ドローイングフレーム８は、例えば、ベアリングリング１７に支えられ、ベアリングリング１７は、丸編み機１のベースまたはカムプレート１８上に支柱１８によって支持されている。この配置に特に利点があるのは、３またはそれ以上のペアのドローイングロール２０などによって形成されたニップライン(nip line)が水平面にではなく、図１に示す傾斜面に位置しており、それぞれのケンス９側に向いたペアの入力ロールがフロア７の上方に丸編み機１側に向いたペアの出力ロールより高い位置にあるからである。
【００１７】
図１に示す実施形態の特徴は、ドローイングロール２０の中心軸がすべて使用状態にあるとき水平に位置している点である。ドローイングフレーム８が作業スペース４からオペレータ５によって手に届くだけでなく、ドローイングフレーム全体を分解しなくても、容易に保守し、修理できることを達成するために、ドローイングフレーム８は、基本的な機能部品が、本発明によれば、ドローイングフレーム８において少なくとも部分的に下方にピボット回転可能に装着されているために、少なくとも部分的に開くことが可能になっている。これは、図１に、所謂上部ロールを支える圧力アーム２１の形体をした部品によって示されており、この圧力アーム２１は、従来技術とは対照的に、上方にではなく下方に位置し、例示した水平ピボット軸２２を中心に矢印方向ｖにピボット回転可能になっている。その結果、選択されたドローイングフレーム８のロールは、そこに存在するベルトを交換し、ドローイングフレーム８に存在する繊維の塊を取り除き、オペレータ５が作業スペース４から離れなくても、その他の作業を行なえるように、必要ならば、アクセス可能になっている。
【００１８】
ドローイングフレーム８は、好ましくは、ほこりや空気中の繊維を収集することができる吸引デバイス２３に接続されている。
【００１９】
複数のドローイングフレームアセンブリがニードルシリンダ２の円周に配置されており、これらのアセンブリは、編成システム６の個数と同数であって、それぞれが繊維質材料１０の１つ用のドローイングフレームを有している。以下で詳しく説明するように、ドローイングフレームアセンブリは所謂小型バーとして構成され、各ドローイングフレームアセンブリまたは小型バーは、少なくとも４個の、最大でも８個のドローイングフレームを結合して自律的アセンブリを形成している。３０インチ径のニードルシリンダと４８個の編成システム６を装備した丸編み機に関心がある場合、例えば、小型バー当たり４個のドローリングフレームの場合には、総計１２個の小型バーが必要になる。技術的編成上の理由により、編成システム６の個数は３または４で割り切れる数にすることが好都合であり、小型バー当たりのドローイングフレームの個数は、同様に３または４で割り切れることが望ましい。
【００２０】
さらに、このような小型バーの総幅が重要である。この総幅は、ドローイングフレームからの繊維質材料の流れの出口から繊維質材料が編成システム６に入るまでの距離が可能な限り小さくなるように可能な限り小さいことが望ましい。この状態は紡糸デバイス１４の機能によるものである。
【００２１】
図２および図３は、現時点で最良と考えられている本発明による小型バーの形体をしたドローイングフレームアセンブリの実施形態の構成を示す図である。ドローイングフレームアセンブリは、ペアのドローイングフレームロール用のトランスミッションとドライブを収容している中央ハウジング２５を備えている。この実施形態では、ドローリングフレームは、それぞれが１ペアの入力ロールＩ、中央ロールＩＩおよび出力ロールＩＩＩからなる３ロールドローリングフレームとして構成されており、中央ロールペアＩは二重ベルトアセンブリとして構成され、ベルト２９ａと２９ｂを備えていると好都合である。その結果、各ペアのロールＩ乃至ＩＩＩは、上部に位置するロール２６ａ、２７ａ、２８ａおよび下部に位置するロール２６ｂ、２７ｂ、２８ｂを有している。従来のドローイングフレームとは対照的に、上部ロール２６ａ、２７ａおよび２８ａは概略図で示すドライブ３０および３１に接続され、これらのドライブは、例えば、ペアのロールＩとＩＩの間に予備的ドローイングを引き起こし、ペアのロールＩＩとＩＩＩの間に主ドローイングを引き起こす働きをするサーボモータとして構成されている。これらのドライブ３０、３１は必要なトランスミッション部品と一緒にハウジング２５に収容され、ハウジング２５を通されたドライブシャフトは両側にハウジング２５から突出している。概略図で示す図３において、ここに示したのはシャフト３２であるが、個々の具体的な部品は明確化のために示されていない。ロール２６ａ−２８ａはこれらのシャフト３２に取り付けられている。別の方法として、ロール２６ａ−２８ａは、シャフト３２上に形成された部分によって形成することも可能であり、その場合は、個々のドローイングフレームではなく、ドローイング位置またはドローイングトラックと言うことも可能である。しかし、「ドローイングフレーム」および「ロール」という通常の用語は以下の説明においてそのまま使用されている。
【００２２】
図３に示すように、シャフト３２は両側にハウジング２５から突出し、そのシャフトは、各々の側に上部に位置する２つの入力、中央および出力ロール２６ａ−２８ａを備えている。すべてのシャフト３２は小型バーの取り付け状態にあるとき水平に置かれている（図１）。下部ロール２６ｂ−２８ｂは、これとは対照的に、圧力アーム３３と３４上に回転可能に取り付けられ、圧力アームはシャフト３２に平行の中心軸を中心にピボット回転可能にハウジング２５上に取り付けられている。圧力アーム３３はハウジング２５の一方の側に配置され、圧力アーム３４は他方の側に配置されている。従って、両方の圧力アーム３３と３４は、それぞれ２同軸ロール２６ｂ、２７ｂおよび２８ｂを支え、例えば、上部および／または下部ロール２７ａ、２７ｂのベルト２９ａおよび／または２９ｂを交換したり、その他の修理または保守作業を実施したりするために、矢印ｖの方向に下方にピボット回転可能になっている。
【００２３】
さらに、公知の充填部品(filling piece)、吸引および吹き付けチャネル３６および入力筒(input funnel)２７は３ロールドローイングフレームを完成している。その結果、各ドローイングフレームは、矢印３８（図３）で示す繊維質材料の流れを関連紡糸デバイス１４の方向に移送している。
【００２４】
以上のように構成されたドローイングフレームアセンブリまたは小型バーは自律的ユニットを表している。繊維質材料１０が存在しないか、別の破断が発生したために小型バーが交換または停止される場合には、関連編成システムは非編成に切り替えられるので停止することができる。この切り替えは自動的に動作する糸モニタまたはその他の方法によってオペレータが行なうことができる。その結果、丸編み機１での連続的編み目形成プロセスを中断しなくても、小型バー全体または関連編成システム６が機能するのを停止することが可能になる。
【００２５】
図２および図３に示す小型バーは、好ましくは、４８個の編成システム６を備えた丸編み機のために使用される。その幅は、このケースでは、例えば、約２０ｃｍ−２０ｃｍに調整可能であり、特に約２２ｃｍに調整すると好都合であり、その結果、十分に短い紡糸デバイス１４を製造することが可能になり、このことは、紡糸プロセスを安定化する上で好都合である。
【００２６】
図４は、６ドローイングフレームまたはドローイング位置からなる小型バーを示す図であり、繊維質材料の流れの方は矢印３８で示されている。図３とは対照的に、ここでは３個のロールがハウジング２５の各々の側に配置されている。さらに、ハウジング２５の各々の側には、２ロール２６ｂ、２７ｂおよび２８ｂを支え、従って２つの隣接繊維質材料の流れ４０のドローイングを担当する第１の圧力アーム３９と、残りのロール２６ｂ、２７ｂおよび２８ｂを支え、従ってそれぞれ残りの第３の繊維質材料の流れ４２のドローイングを確実にする第２の圧力アーム４１とが、それぞれ配置されている。
【００２７】
図５に示す小型バーは、総幅を２５ｃｍとして製造することができる。これは、例えば、３０インチ径のニードルシリンダと７２個の編成システムを備えていて、総計１２個の小型バーが必要になるような丸編み機１に適している。
【００２８】
図５は、８個のドローイングフレームまたはドローイング位置からなり、８個の繊維質材料の流れ（矢印３８）をもつ小型バーを示している。ハウジング２５の両側には、シャフト３２は、ここでは、それぞれ４個の同軸ロール２６ａ、２７ａおよび２８ａ（これらは図５には示していない）を備えている。さらに、ハウジング２５の両側には、それぞれ１個の圧力アーム４３が存在し、この圧力アームは関係する側の４つの繊維質材料の流れすべてと、それに割り当てられたロール２６ｂ、２７ｂおよび２８ｂを引き受けている。図５に示すように、この実施例では、それぞれ２つの隣接繊維質材料の流れを、円周の同一部分に２つの隣接トラックを持つロール２６−２８でドローイングするのに特に好都合である。
【００２９】
図５に示す小型バーの幅は約２５ｃｍに調整可能である。従って、この小型バーは、３０インチ径のニードルシリンダと９６個の編成システムを備え、ここでも１２個の小型バーが使用されている丸編み機１に適している。
【００３０】
本発明は上述した実施形態に限定されず、種々態様に変更が可能である。このことは、図示の寸法に適用され、これらの寸法は必要条件に応じて異なる寸法に選択することが可能である。さらに、説明するまでもなく、ドローイングフレームアセンブリは、通常はドローイングフレームに存在しているが、簡略化のために図示していない、すべての必要なコンポーネントを備えることも可能である。最後に、当然に理解されるように、上述し、図示した組み合わせとは別の組み合わせで、種々の特徴を適用することも可能である。
【図１】
2010511803.tif 000003
【図２】
2010511803.tif 000004
【図３】
2010511803.tif 000005
【図４】
2010511803.tif 000006
【図５】
2010511803.tif 000007
【国際調査報告】
2010511803.tif 000008
2010511803.tif 000009
2010511803.tif 000010
2010511803.tif 000011